(57)【要約】【課題】光量分布状態のばらつきの影響を抑制でき、リアルタイムで測定調整ができる光ピックアップ装置の調整方法を提供する。【解決手段】光ピックアップ装置１における対物レンズ５の位置調整に際して、対物レンズ５から出射したレーザ光を凸レンズ６で受けて平行光もしくは平行光に近い光束に変更し、その光束を投影板８上に投影し、投影板８上に表示されている基準位置９に合うように対物レンズ５の位置調整を行う。【選択図】　　　図１
2004062972.tif 000002
【特許請求の範囲】
【請求項１】
光ピックアップ装置における対物レンズ位置の調整方法であって、対物レンズから出射したレーザ光を凸レンズで受けて平行光もしくは平行光に近い光束に変更し、その光束の位置に基づいて調整することを特徴とする光ピックアップ装置の調整方法。
【請求項２】
凸レンズのＮＡ値を、光ピックアップ装置に搭載している対物レンズのＮＡ値以下にすることを特徴とする請求項１記載の光ピックアップ装置の調整方法。
【請求項３】
凸レンズで平行光もしくは平行光に近い光束を投影板上に投影し、投影位置にて対物レンズの位置を検出することを特徴とする請求項１又は２記載の光ピックアップ装置の調整方法。
【請求項４】
平行光もしくは平行光に近い光束を、投影板上に表示されている基準位置に合うように対物レンズの位置調整を行うことを特徴とする請求項１〜３の何れかに記載の光ピックアップ装置の調整方法。
【発明の属する技術分野】
本発明は、レーザ光源を用いて情報記録媒体に対して情報を光学的に記録あるいは読み出しする光ピックアップ装置の調整方法に関し、特にその対物レンズ位置の調整方法に関するものである。
【発明の詳細な説明】
【０００１】
【従来の技術】
従来の光ピックアップ装置の調整方法を図２を参照して説明する。図２（ａ）において、光ピックアップ１１に固定されている光源１２から出射したレーザー光（図中の破線で示している）は、拡散状態でコリメートレンズ１３に入射し、平行光もしくは平行光に近い光束になり、アクチュエータ１４に固定されている対物レンズ１５で集光される。調整時には、集光されたレーザー光をＴＶカメラ１６で受けてレーザー光量を電気信号に変換し、画像処理装置１７で演算した後、モニタ１８に表示される。
【０００２】
モニタ１８には、レーザー光の光量分布を光軸方向から見た光量分布平面画像１９とその光量分布の中心２２と、光量分布平面画像をＸ方向から見た断面を示す光量分布Ｘ軸断面曲線２０と、光量分布平面画像をＹ方向から見た断面を示す光量分布Ｙ軸断面曲線２１が表示され、光量分布に対する対物レンズ１５の位置を検出できる構成となっている。
【０００３】
図２（ｂ）に示すように、対物レンズ１５を固定しているアクチュエータ１４が左側に寄っていた場合、モニタ１８に表示される光量分布平面図１９には光量分布の中心２２が基準円の中心より右側に寄って表示されることとなる。この状態からアクチュエータ１４を矢印に示す右方向に調整して、光量分布平面画像１９が、図２（ａ）に示すように、基準円の中心に合致した状態にする方法を用いていた。
【０００４】
【発明が解決しようとする課題】
しかしながら、対物レンズ１５を透過したレーザー光の光量分布を検出する方法において、実際の光源１２の発光分布は円形状でなく、また光源１２の個体差により分布状態が異なるため、光量分布中心の演算後の位置がばらつき、それによる調整ばらつきが生じるという問題がある。
【０００５】
また、光量分布及び光量分布の中心を画像情報から演算する時間が必要なため、リアルタイムな測定ができないという問題もある。
【０００６】
本発明は、上記従来の問題点に鑑み、光量分布状態のばらつきの影響を抑制でき、リアルタイムで測定調整ができる光ピックアップ装置の調整方法を提供することを目的とする。
【０００７】
【課題を解決するための手段】
本発明の光ピックアップ装置の調整方法は、光ピックアップ装置における対物レンズ位置の調整方法であって、対物レンズから出射したレーザ光を凸レンズで受けて平行光もしくは平行光に近い光束に変更し、その光束の位置に基づいて調整するものであり、光束の位置に基づいて対物レンズの位置を調整するので光量分布状態のばらつきの影響を抑制でき、かつ光量分布やその中心位置を演算する必要がないのでリアルタイムで測定調整をすることができる。
【０００８】
また、凸レンズのＮＡ値を、光ピックアップ装置に搭載している対物レンズのＮＡ値以下にすると、凸レンズによる解像力の低下を防止できて好適である。
【０００９】
また、凸レンズで平行光もしくは平行光に近い光束を投影板上に投影し、投影位置にて対物レンズの位置を検出すると、投影板上の位置で容易に光束の位置を検出し、対物レンズの位置を検出できる。
【００１０】
また、平行光もしくは平行光に近い光束を、投影板上に表示されている基準位置に合うように対物レンズの位置調整を行うと、対物レンズの位置調整を容易かつ効率的に行うことができる。
【００１１】
【発明の実施の形態】
以下、本発明の光ピックアップ装置の調整方法の一実施形態について、図１を参照して説明する。
【００１２】
図１（ａ）において、光ピックアップ装置１に固定されている光源２から出射したレーザー光（図中の破線で示している）は、拡散状態でコリメートレンズ３に入射し、平行光もしくは平行光に近い光束になり、アクチュエータ４に固定されている対物レンズ５で集光される。
【００１３】
この光ピックアップ装置１の対物レンズ５の位置調整に際しては、正規位置の対物レンズ５と光軸方向に対向するように凸レンズ６が配設されている構造体１０に対して光ピックアップ装置１を所定の位置関係となるように設置する。７は凸レンズ６からのレーザー光の出射先に配設されて光路を変更する反射ミラー、８は反射ミラー７で光路が変更されたレーザー光が投影される投影板である。９は投影板８に表示されている基準位置であり、対物レンズ５が正規の位置に位置調整されている時、凸レンズ６からのレーザー光がこの基準位置に投影されるように配設されている。
【００１４】
以上の構成において、構造体１０の所定位置に光ピックアップ装置１をセットし、その光源２からレーザー光を出射すると、レーザー光はコリメートレンズ３を透過して平行光もしくは平行光に近い光束となり、さらにアクチュエータ４に取付けられた対物レンズ５にて集光され、集光されたレーザー光は凸レンズ６にて再び平行光もしくは平行に近い光束とされ、その出射先にある反射ミラー７で光路を変更して投影板８に投影される。
【００１５】
投影板８に投影された光束の位置が対物レンズ５の位置を示しており、対物レンズ５の位置を調整して、投影板８に表示されている基準位置９に光束位置を合致させることにより、対物レンズ５の位置調整が完了となる。
【００１６】
例えば、図１（ｂ）に示すように、対物レンズ５を固定しているアクチュエータ４が左側に寄っていた場合、投影板８に投影される光束は、基準位置９より上方に投影されることになる。この状態からアクチュエータ４を図の矢印に示す右方向に調整し、図１（ａ）に示すように、光束を基準位置９に位置するように調整すれば、対物レンズ５の位置調整が完了となる。
【００１７】
【発明の効果】
本発明の光ピックアップ装置の調整方法によれば、以上の説明から明らかなように、対物レンズから出射したレーザ光を凸レンズで受けて平行光もしくは平行光に近い光束に変更し、その光束の位置に基づいて対物レンズの位置を調整するので、光量分布状態のばらつきによる調整ばらつきを抑制でき、かつ光量分布やその中心位置を演算する必要がないのでリアルタイムで測定調整をすることができ、製造時間の短縮を実現できる。
【００１８】
また、凸レンズのＮＡ値を、光ピックアップ装置に搭載している対物レンズのＮＡ値以下にすると、凸レンズによる解像力の低下を防止できる。
【００１９】
また、凸レンズで平行光もしくは平行光に近い光束を投影板上に投影し、投影位置にて対物レンズの位置を検出すると、投影板上の位置で容易に光束の位置を検出し、対物レンズの位置を検出できる。
【００２０】
また、平行光もしくは平行光に近い光束を、投影板上に表示されている基準位置に合うように対物レンズの位置調整を行うと、対物レンズの位置調整を容易かつ効率的に行うことができる。
【図面の簡単な説明】
【図１】本発明の光ピックアップ装置の調整方法の一実施形態を示し、（ａ）は調整後の状態を示す概略構成図、（ｂ）は調整前の状態を示す概略構成図である。
【図２】従来例の光ピックアップ装置の調整方法を示し、（ａ）は調整後の状態を示す概略構成図、（ｂ）は調整前の状態を示す概略構成図である。
【符号の説明】
１　光ピックアップ装置
５　対物レンズ
６　凸レンズ
８　投影板
９　基準位置
【図１】
2004062972.tif 000003
【図２】
2004062972.tif 000004